(57)【要約】  保持手段は縦長取付手段とグリップ手段を備え、該グリップ手段は第一グリップ部及び第二グリップ部を含み、少なくとも一つの該グリップ部は少なくとも部分的に可撓性弾性材料から形成され、各グリップ部は取付手段に取り付けられ、製品が第一グリップ部及び第二グリップ部の外縁部の間で保持できるように、第一グリップ部の外縁部と第二グリップ部の外縁部は近接して配置される。【選択図】図１
2011502589.tif 000002
【特許請求の範囲】
【請求項１】
縦長取付手段と、
グリップ手段とを備え、
前記グリップ手段は、第一グリップ部及び第二グリップ部を含み、少なくとも１つの前記グリップ部の少なくとも一部は可撓性弾性材料から形成され、
各前記グリップ部は前記取付手段に取り付けられ、
前記第一グリップ部の外縁部は、第二グリップ部の外縁部と近接して配置され、それにより物品が前記第一グリップ部の前記外縁部と前記第二グリップ部の前記外縁部との間で保持される保持手段。
【請求項２】
前記取付手段は少なくとも２つの支持部材を備え、各前記支持部材は上端部を有する請求項１記載の保持手段。
【請求項３】
少なくとも１つの前記支持手段は、前記保持手段を既存の構造体に取り付けるための係合手段を備える請求項１又は２記載の保持手段。
【請求項４】
前記係合手段は凹部の形状で設けられる請求項３記載の保持手段。
【請求項５】
前記グリップ手段は少なくとも１つの前記支持部材と同延する請求項２〜４いずれか１項記載の保持手段。
【請求項６】
前記グリップ手段は、少なくとも１つの前記支持部材の前記上端部に亘って伸長する各部分のそれぞれに設けられるセレーションを有する請求項２〜５いずれか１項記載の保持手段。
【請求項７】
前記セレーションは可撓性弾性材料から形成される請求項６記載の保持手段。
【請求項８】
前記グリップ手段又は前記グリップ手段の各部分は可撓性弾性材料の細片を含む請求項１〜７いずれか１項記載の保持手段。
【請求項９】
可撓性弾性材料の前記細片は複数の指状体を画定する外縁部から前記部分に亘って横方向に伸長する一又はそれ以上のスリットを含む請求項８記載の保持手段。
【請求項１０】
前記第一グリップ部の前記外縁部は前記第二グリップ部に近接する或いは前記第二グリップ部に隣接して配置される請求項１〜９いずれか１項記載の保持手段。
【請求項１１】
各前記グリップ部は一体型スロットを介して前記取付手段に取り付けられる請求項１〜１０いずれか１項記載の保持手段。
【請求項１２】
前記グリップ部の１つもまた前記支持部材の１つを形成する請求項２〜１１いずれか１項記載の保持手段。
【請求項１３】
前記取付手段は底を更に含む請求項１〜１２いずれか１項記載の保持手段。
【請求項１４】
前記底は該底に設けられた少なくとも１つの排水口を有する請求項１３記載の保持手段。
【請求項１５】
前記保持手段は前記取付手段が受容されたエンドブラケットを更に含む請求項１〜１４いずれか１項記載の保持手段。
【請求項１６】
互いに係合し、既存の構造体の枠体の少なくとも一部を間に封入するよう適応された２つの部分を含む請求項１５記載の保持手段。
【請求項１７】
前記ブラケットの少なくとも１つの部分は保持手段支持体を更に含む請求項１６記載の保持手段。
【請求項１８】
前記取付手段は剛性材料又は半剛性材料から形成される請求項１〜１７いずれか１項記載の保持手段。
【請求項１９】
図１〜図４又は図５〜図１０を参照して実質的に前記される保持手段。
【発明の詳細な説明】
【技術分野】
【０００１】
本発明は保持手段に関する。より詳しくは、本発明の保持手段は、保持される物品を固定するための別個の洗濯ばさみ又はクリップの必要性を実質的に排除することを目的とする。
【背景技術】
【０００２】
多数の先行技術文献は、洗濯ばさみ又はクリップの必要性を避けるための試みの下で構成される物品を保持するための手段を開示する。ドイツ特許第３１０５０５１号は、レールの２つの脚部の間の挟持作用により物品を保持するＵ字型のレールを開示する。しかし、この製品は、既存の構造体、例えば物干し具と併用することを意図しない。さらに、剛性材料から構成され、保持すべき物品を挿入する挟持機構の性質を考えると、該機構が複雑化し、使用者の指がつままれる或いは挟まることがあり得る。
【０００３】
オーストラリア特許第６４６３５２号は、線を形成するためにスタッド連結によって接合される多数のプラスチック環から構成される洗濯ばさみ不使用型の物干し具を開示する。物品は各環の一端で開口中に滑動され、該物品を固定するためにピンチスロットに沿って摺動する。この物干し具は、ピンチスロット内に出し入れすることにより損傷を与える傾向があるので、より繊細な物品にとっては理想的ではないが、作業者の指が挟まれるという問題を実質的に解決することができる。
【０００４】
オーストラリア特許第１１１９２３号、オーストラリア特許第１１４２８９号、オーストラリア特許第１１６４８４号、オーストラリア特許第１１７２２９号及びオーストラリア特許第１１８６２０号は様々なワイヤー状の、洗濯ばさみ不使用型の物干し具を開示し、これらは強風の際に物品を保持するのに効果的ではなく、取り付けが複雑である。
【０００５】
本発明の保持手段の目的の一つは、従来技術と関連する上述の問題を実質的に解決し、少なくとも有効な代替物を提供することである。
【０００６】
背景技術に関する上述の記載は、本発明に現状を説明するためだけに記載される。この記載は、言及される物のいずれも優先日前においてオーストラリア或いは他の国における発明に関連した分野の一般知識であるということの承認又は認可ではないことを理解されたい。
【０００７】
明細書全体において、文脈上での要求が無い限り、用語「含む（comprise）」或いはその変形「含む(comprises; comprising）」は、一定の整数又は整数の群を含むことを意味するが、他のいかなる整数又は整数の群を排除しないと理解される。
【先行技術文献】
【特許文献】
【０００８】
【特許文献１】オーストラリア特許第６４６３５２号
【特許文献２】オーストラリア特許第１１１９２３号
【特許文献３】オーストラリア特許第１１４２８９号
【特許文献４】オーストラリア特許第１１６４８４号
【特許文献５】オーストラリア特許第１１７２２９号
【発明の概要】
【課題を解決するための手段】
【０００９】
本発明によると、
縦長取付手段と、
グリップ手段と
を備え、
前記グリップ手段は、第一グリップ部及び第二グリップ部を含み、少なくとも１つの前記グリップ部の少なくとも一部は可撓性弾性材料から形成され、
各前記グリップ部は前記取付手段に取り付けられ、
前記第一グリップ部の外縁部は、第二グリップ部の外縁部と近接して配置され、それにより、物品が前記第一グリップ部の前記外縁部と前記第二グリップ部の前記外縁部との間で保持される保持手段が提供される。
【００１０】
好適には、前記取付手段は少なくとも２つの支持部材を有し、各支持部材は上端部を有する。
【００１１】
好適には、少なくとも１つの支持部材は、保持手段が既存の構造体，例えば物干し具に取り付けられることを可能にする係合手段を含む。
【００１２】
好適には、係合手段は、これに限定されないが、凹部，一又はそれ以上のフック又はスロットを含む様々な形態で設けられ得る。
【００１３】
好適には、グリップ手段は少なくとも１つの支持部材と同延する。
【００１４】
好適には、少なくとも１つの支持部材の上端部にはセレーションが設けられる。
【００１５】
より好適には、セレーションはグリップ手段から各支持部材の上端部より実質的に上に伸長し、可撓性弾性材料から形成される。
【００１６】
好適にはグリップ手段又は該グリップ手段の各部分は、可撓性弾性材料の細片を含む。
【００１７】
好適には可撓性弾性材料の細片は複数の指状体を画定する外縁部から前記部分に亘って横方向に伸長する一又はそれ以上のスリットを含む。
【００１８】
好適には，第一グリップ部の外縁部は第二グリップ部に近接する或いは第二グリップ部に隣接して配置される。
【００１９】
好適には、グリップ手段は、これに限定されるものではないが、一体型スロットとの係合、又は支持部材の一又はそれ以上の上端部にグリップ手段を接着又はボルト締めすることを含む様々な方法により取付手段に取り付けられる。
【００２０】
本発明の１つの実施形態において、グリップ手段のグリップ部のうちの１つは、それ自体が支持部材のうちの１つを形成し、可撓性弾性材料から形成され得る。
【００２１】
好適には、取付手段は底を有する。
【００２２】
より好適には、取付手段の底は、該底の中に設けられた少なくとも１つの排水口を含む。
【００２３】
少なくとも１つの取付手段が既存の構造体に係合される場合、保持手段は取付手段が受容されるエンドブラケットを更に含む。
【００２４】
好適には、ブラケットは、互いに係合し、既存の構造体の枠体の少なくとも一部分を間に封入するよう適応された２つの部分から成る。
【００２５】
より好適には、ブラケットの前記部分の少なくとも一つは保持手段支持体を更に含む。
【００２６】
好適には、既存の構造体は、物干し具又は物干し具の枠体を含む。
【００２７】
好適には、保持手段により保持される物品は、衣類及び紙を含むシート状物品の形態である。
【００２８】
取付手段は好適には、これに限定されるわけではないが、鋼、アルミニウム又は成形プラスチックを含む剛性材料又は半剛性材料から形成される。
【００２９】
単なる例として一実施形態及び添付図面を参照して、本発明を説明する。
【図面の簡単な説明】
【００３０】
【図１】本発明の第一実施形態に係る保持手段の斜視図。
【図２】図１の保持手段の端面図。
【図３】エンドブラケットと係合する図１の保持手段の端面図。
【図４】図３のブラケットの上面図。
【図５】図１に示す保持手段の使用中の斜視図。
【図６】本発明の第二実施形態に係る保持手段の断面図。
【図７】図６に示す保持手段の取付手段の断面図。
【図８】図７の取付手段の斜視図。
【図９】図６に示す保持手段のグリップ手段の斜視図。
【図１０】図９のグリップ手段の断面図。
【図１１】図６に示す保持手段と使用するためのブラケットの斜視図。
【発明を実施するための形態】
【００３１】
図１〜図５は本発明の第一実施形態に係る保持手段１０を示す。保持手段１０は縦長取付手段１２及びグリップ手段１４を備える。取付手段１２は第一支持部材１８及び第二支持部材２０と連結している底１６を含む。支持部材１８、２０はそれぞれ上端部１９を有する。底１６は長手方向に間隔を置いて設けられた多数の排水口１７を更に含む。取付手段１２は、剛性材料、例えば鋼、アルミニウム又は成型プラスチックから形成される。
【００３２】
グリップ手段１４は第一グリップ部２２を備え、該第一グリップ部２２は可撓性弾性材料から形成され、第一支持部材１８を介して取付手段１２に取り付けられ、第二支持部材２０に取り付けられる第二グリップ部２４に向かって横方向に伸長する。第二グリップ部２４も可撓性弾性材料から形成される。グリップ手段１４は支持部材１８、２０に取り付けられる。この取り付けは様々な方法で達成され、これに限定されないが、例えば、図１〜４に示すように、上端部１９に直接ボルト締め又は接着される。
【００３３】
第一グリップ部２２及び第二グリップ部２４はそれぞれ可撓性弾性材料の細片を含む。該弾性材料は、第一グリップ部２２及び第二グリップ部２４のそれぞれに亘って横方向に伸長する多数のスリット２５の間に設けられ、多数の指状体２６を形成する。第一グリップ部２２は外縁部２８を有する。第二グリップ部２４も外縁部３０を有する。第一グリップ部２２の外縁部２８は第二グリップ部の外縁部３０に近接して配置され、細い分離線或いは間隙３２を画定する。或いは、外縁部２８は外縁部３０に隣接してもよい。
【００３４】
グリップ手段１４は、支持部材１８、２０の上端部１９に伸長する部分に設けられたセレーション３４を有する。グリップ手段１４は、支持部材１８、２０の上端部１９に亘って伸長する部分に設けられるセレーション３４を有する。セレーション３４は衣類又はシート状材料（例えば紙）などの物品を挟持するのを補助する。さらに、セレーション３４は可撓性弾性材料から形成されるので、物品の損傷が最小限に抑えられる。第一支持部材１８及び第二支持部材２０は、保持手段１０の長さに沿って伸長する係合手段３６を更に含む。係合手段３６は、保持手段１０が、既存の構造、例えば物干し具３７に取り付けられる、または位置づけられることを可能にする。
【００３５】
図２は、保持手段１０の同じ実施形態の端面図を示し、係合手段３６によってどのように取付手段１２が物干し具３７に取り付けられるのかを明確に示す。
【００３６】
図３及び図４は、好適な位置で保持手段１０を固定するための縦長エンドブラケット４０と係合する保持手段１０の同じ実施形態を示す。ブラケット４０は、基部４２及び頂部４４を含み、頂部４４は、締結手段、例えばボルト４６により基部に取り付けられる。基部４２は中央支持構造体４８及び２つの端部５０、５２を更に含む。ブラケット４０は、正方形又は長方形に組み立てられた物干し具の枠体５４に取り付けるよう設計されている。端部５０、５２のそれぞれで、基部４２は凹部５６を画定し、該凹部５６は保持手段１０と実質的に同じ形状であり、それにより、保持手段１０が基部４２に「端と端とを合わせて」挿入されることが可能となる。中央支持構造体４８は、端部５０、５２のそれぞれに位置する凹部５６の間に伸長し、ブラケット４０を枠体５４に固定するために、ボルト４６が通過可能な開口を含む。保持手段１０はブラケット４０に関して横断して伸長するよう配置される。
【００３７】
保持手段１０を支える基底となる基部４２は、枠体５４の下に配置される。その後、頂部４４は基部４２と一列に並ぶよう枠体５４の上に配置される。その後、基部はボルト４６により頂部に固定される。
【００３８】
使用に際しては、図５に示すように、湿った衣類３８は、第一グリップ部２２と第二グリップ部２４との間の間隙３２に挿入される。衣類３８を間隙３２に押し込むことで、グリップ手段１４の位置が一時的に変形する。しかし、グリップ手段１４の可撓弾性により該グリップ手段が初期位置に戻ることが可能となり、それにより、衣類アイテム３８を掴み、確実に保持する。さらに、グリップ手段１４の可撓性は、特に強風、又は、挿入又は取り出す際の、繊細な布でできた衣類３８に対する損傷を確実に減らす。セレーションを有する上端部３４は、滑り止めのために、衣類アイテム３８に更なる噛み合わせをもたらす。排水口１７によって、あらゆる過剰な湿気を保持手段１０から排水することができる。
【００３９】
図６〜図１０には、本発明の第二実施形態に係る保持手段６０を示す。保持手段６０は保持手段１０と実質的に同様であり、同じ符号は同じ部品を示す。
【００４０】
具体的には、図７、図８は保持手段６０の取付手段１２を示す。第一支持部材１８及び第二支持部材２０の上端部１９は、例えばＴ字形スロットの形状の一体型スロット６２を含む。スロット６２はグリップ手段１４が取付手段１２に係合することを可能にする。
【００４１】
図６、図９及び図１０に示すように、第一グリップ部２２及び第二グリップ部２４は、スロット６２の中で保持されるよう、該スロット６２に対して実質的に相補的な形状を有する脚部６４により、スロット６２と係合する。スロット６２及び脚部６４は、本発明の精神及び範囲から逸脱することなく、様々な相補的な形状で設けることができると考えられる。
【００４２】
図１１において、本発明の第二実施形態で使用するためのブラケット７０が示される。
ブラケット７０は例えば成型プラスチックから形成され、外側部７２及び内側部７４を含む。ブラケット７０は、凹部７５と係合することにより、物干し具３７又は枠体５４に簡単に掛けられる。外側部７２は２つの端部７６、７８、中央支持構造体８０、面板８２及び該端部７６及び７８のそれぞれに配置される保持手段支持体８４を有する。保持手段支持体８４は、取付手段１２に対して実質的に相補的な形状を有する。保持手段支持体８４及び中央支持構造体８０は、面板８２から伸長する突起形状を有して設けられる。保持手段５０は、該保持手段５０の端部が面板８２に隣接するように、保持手段支持体８４上を摺動する。
【００４３】
内側部７４は主に美観のために提供され、中央支持構造体８０に対して相補的な形状を有する。内側部７４は、面板８２に近接するまで、中央支持構造体８０と摺動可能に係合される。内側部７４は中央支持構造体８０にぴったりと合う寸法を有し、実質的に固定される。
【００４４】
使用に際して、保持手段５０は、保持手段１０に関して記載したものと実質的に同じ方法で動作する。
【００４５】
グリップ手段１４の指状体２６は様々な構造と代替的に交換され得る、又は、グリップ手段１４は、横断するスリット２５を設けずに、可撓性弾性材料の２つの連続細片を備えてもよいと考えられる。
【００４６】
更に、第一グリップ部２２の外縁部２８も第二グリップ部２４の外縁部３０と近接される、或いは、第二グリップ部２４の外縁部３０と重なると考えられる。
【００４７】
更に、保持手段１０は、上記実施形態を参照すると、左右位置に逆転又は回転され、更に効果的に動くことを可能にするよう採用できると考えられる。
【００４８】
熟達した読み手は、取付手段が底を有する必要がないことを認識するだろう。例えば、第一支持部材１８及び第二支持部材２０は、エンドブラケット４０によって別々に係合され得る。或いは、一又はそれ以上の中間ブラケットは、第一支持部材１８及び第二支持部材２０と関連して連結され配置される。更に、底１６が使用される場合、該底１６は様々な形態、例えばＶ字状又は湾曲形状を有し得る。
【００４９】
グリップ手段１４は、第一支持部材１８又は第二支持部材２０のそれぞれに沿ってあらゆる地点に配置され得ると考えられる。
【００５０】
第二支持部材２０は、それ自体が第二グリップ部２４を形成し得ると理解される。更に、第二支持部材２０が第二グリップ部２４を形成する場合、第二支持部材２０はまた、少なくとも部分的に可撓性弾性材料から形成される。
【００５１】
係合手段３６は、図１〜図８に示すように凹部の形状で設けられる、或いは、該係合手段３６は一又はそれ以上のフック又はスロットの形状であり得ると考えられる。
【００５２】
本発明の保持手段は、洗濯ばさみ不使用型の物干し具に特に適用可能であるが、それに必ずしも限定されるわけではなく、例えば、レストランのメニューを含む他のアイテム、紙などの他の物品の保持手段として利用され得ることが理解される。
【００５３】
本願明細書に記載されている特定の実施形態のいずれかによる範囲内に本発明は限定されない。これらの実施形態は例示の目的だけで示される。本願明細書に記載されているように、機能的に同等の製品及び方法は明確に本発明の範囲内に含まれる。
【図１】
2011502589.tif 000003
【図２】
2011502589.tif 000004
【図３】
2011502589.tif 000005
【図４】
2011502589.tif 000006
【図５】
2011502589.tif 000007
【図６】
2011502589.tif 000008
【図７】
2011502589.tif 000009
【図８】
2011502589.tif 000010
【図９】
2011502589.tif 000011
【図１０】
2011502589.tif 000012
【図１１】
2011502589.tif 000013
【国際調査報告】
2011502589.tif 000014
2011502589.tif 000015
2011502589.tif 000016
2011502589.tif 000017